(57)【要約】【課題】上段クランパを端子台に取り付ける際の作業性を向上させたワイヤクランパを備えた空気調和機の室外機を提供する。【解決手段】端子板３００とワイヤクランパ５００が端子台２１０の板金２１１に取り付けられる。ワイヤクランパ５００は、下段クランパ５１０と上段クランパ５２０とからなる。下段クランパ５１０は、開口５１１ａ，５１１ｂと、ガイド孔５１２ａ，５１２ｂと、ワイヤガイド部５１３ａ〜５１３ｃと、仮止係止片５１５ａ，５１５ｂを備える。上段クランパ５２０は、開口５２１ａ〜５２１ｄと、ガイド筒体５２２ａ，５２２ｂと、ワイヤガイド部５２３ａ〜５２３ｃと、仮止係止片５２７ａ，５２７ｂを備える。【選択図】図８
2018054251.tif 000002
【特許請求の範囲】
【請求項１】
通信用のワイヤが接続される空気調和機の室外機において、
前記通信用のワイヤを接続する端子板と、該端子板の近傍で前記ワイヤを固定するワイヤクランパとが取り付けられる端子台とを有し、
前記ワイヤクランパは、前記端子台に取り付けられる長尺形状の下段クランパと、該下段クランパと協働して前記ワイヤを挟持するよう前記下段クランパに押し付けられる長尺形状の上段クランパとからなり、
前記下段クランパは、長手方向の両端部にビスが挿通されるようにそれぞれ形成された第１の開口と、該第１の開口の間の上面に形成され前記ワイヤをガイドする第１のワイヤガイド部とを備え、
前記上段クランパは、長手方向の両端部に前記下段クランパの前記第１の開口に対応させて形成され前記ビスが挿通される第２の開口と、該第２の開口の間の下面に形成され前記ワイヤをガイドする第２のワイヤガイド部と、長手方向の一方の側面に、前記端子台の第１の係止孔に係止するよう形成された第１の仮止係止片とを備える、
ことを特徴とする空気調和機の室外機。
【請求項２】
請求項１に記載の空気調和機の室外機において、
前記第１の仮止係止片は、前記ワイヤクランパを前記端子台に前記長手方向を横にして配置した際に上側に位置することを特徴とする空気調和機の室外機。
【請求項３】
請求項１又は２に記載の空気調和機の室外機において、
前記第１の仮止係止片は、先端の外側に爪が形成されていることを特徴とする空気調和機の室外機。
【請求項４】
請求項１、２又は３に記載の空気調和機の室外機において、
前記下段クランパは、前記第１の開口の間に形成されたガイド孔を備え、
前記上段クランパは、前記下段クランパの前記ガイド孔に係合するよう形成されたガイド筒体を備える、
ことを特徴とする空気調和機の室外機。
【請求項５】
請求項１、２、３又は４に記載の空気調和機の室外機において、
前記下段クランパは、長手方向の両端に、前記端子台の第２の係止孔に係止する第２の仮止係止片がそれぞれ形成されていることを特徴とする空気調和機の室外機。
【発明の詳細な説明】
【技術分野】
【０００１】
本発明は、通信用のワイヤが接続される空気調和機の室外機にかかり、特に複数のワイヤを固定するワイヤクランパを有する空気調和機の室外機に関する。
【背景技術】
【０００２】
２台以上の室内機と接続されるマルチ型の空気調和機の室外機は、各々の室内機との間の通信用に、２本以上のワイヤを接続する必要がある。これらのワイヤは抜け防止等のために室外機の仕切板等の端子台に固定されるが、この固定のために、クランパによって２本以上のワイヤをクランプして固定する手法がある（特許文献１）。
【先行技術文献】
【特許文献】
【０００３】
【特許文献１】特開２０１１−１１７６４４号公報
【発明の概要】
【発明が解決しようとする課題】
【０００４】
ところが、クランパを長尺形状の上段クランパと下段クランパで構成し、そのクランパを横にして、縦配置される２本以上のワイヤを挟んで固定する場合は、上段クランパ自体を端子台に取り付ける際に、脱落等が発生してその位置決めに手間がかかり、作業性に問題があった。
【０００５】
本発明の目的は、上段クランパを端子台に取り付ける際の作業性を向上させたワイヤクランパを備えた空気調和機の室外機を提供することである。
【課題を解決するための手段】
【０００６】
上記目的を達成するために、請求項１にかかる発明の空気調和機の室外機は、通信用のワイヤが接続される空気調和機の室外機において、前記通信用のワイヤを接続する端子板と、該端子板の近傍で前記ワイヤを固定するワイヤクランパとが取り付けられる端子台とを有し、前記ワイヤクランパは、前記端子台に取り付けられる長尺形状の下段クランパと、該下段クランパと協働して前記ワイヤを挟持するよう前記下段クランパに押し付けられる長尺形状の上段クランパとからなり、前記下段クランパは、長手方向の両端部にビスが挿通されるようにそれぞれ形成された第１の開口と、該第１の開口の間の上面に形成され前記ワイヤをガイドする第１のワイヤガイド部とを備え、前記上段クランパは、長手方向の両端部に前記下段クランパの前記第１の開口に対応させて形成され前記ビスが挿通される第２の開口と、該第２の開口の間の下面に形成され前記ワイヤをガイドする第２のワイヤガイド部と、長手方向の一方の側面に、前記端子台の第１の係止孔に係止するよう形成された第１の仮止係止片とを備える、ことを特徴とする。
【０００７】
請求項２にかかる発明は、請求項１に記載の空気調和機の室外機において、前記第１の仮止係止片は、前記ワイヤクランパを前記端子台に前記長手方向を横にして配置した際に上側に位置することを特徴とする。
【０００８】
請求項３にかかる発明は、請求項１又は２に記載の空気調和機の室外機において、前記第１の仮止係止片は、先端の外側に爪が形成されていることを特徴とする。
【０００９】
請求項４にかかる発明は、請求項１、２又は３に記載の空気調和機の室外機において、前記下段クランパは、前記第１の開口の間に形成されたガイド孔を備え、前記上段クランパは、前記下段クランパの前記ガイド孔に係合するよう形成されたガイド筒体を備える、
ことを特徴とする。
【００１０】
請求項５にかかる発明は、請求項１、２、３又は４に記載の空気調和機の室外機において、前記下段クランパは、長手方向の両端に、前記端子台の第２の係止孔に係止する第２の仮止係止片がそれぞれ形成されていることを特徴とする。
【発明の効果】
【００１１】
本発明によれば、上段クランパを第１の仮止係止片によって端子台の第１の係止孔に仮止めできるので、その上段クランパを端子台に対して仮固定してその脱落等を防止でき、取り付けの作業性が向上する。
【図面の簡単な説明】
【００１２】
【図１】マルチ型の室外機の正面図である。
【図２】本実施例のワイヤクランパの上段端子台と下段端子への取付状態を示す斜視図である。
【図３】本実施例のワイヤクランパの一方を構成する下段クランパの斜視図である。
【図４】本実施例のワイヤクランパの他方を構成する上段クランパの斜視図である。
【図５】本実施例の下段クランパを示す図で、（ａ）は平面図、（ｂ）は正面図、（ｃ）は底面図、（ｄ）は長手方向断面図である。
【図６】本実施例の上段クランパを示す図で、（ａ）は平面図、（ｂ）は正面図、（ｃ）は底面図、（ｄ）は長手方向断面図である。
【図７】本実施例のワイヤクランパの上段端子台への組み込み説明図である。
【図８】本実施例のワイヤクランパを端子台に仮止めした状態の斜視図である。
【発明を実施するための形態】
【００１３】
図１に１台の室外機に図示しない複数台の室内機が接続されるマルチ型の空気調和機の室外機１００の正面の外観を示す。室外機１００は、内部の空気を吹き出す吹出グリル１１０が設けられた前面パネル１２０の右側に、メンテナンス用の着脱自在のサービスパネル１３０が設けられ、このサービスパネル１３０の内側に、２台以上の室内機と通信を行うための２本以上の通信用のワイヤが接続される。１４０は２台以上の室内機との間で接続される２組以上の配管セットの接続端部を覆う配管カバーである。
【００１４】
図２は図１におけるサービスパネル１３０を取り外して、その奥に配置された端子台２００を示した図である。端子台２００は、斜め上方向を向いた上段端子台２１０と、同様に斜め上方向を向いた下段端子台２２０からなり、上段端子台２１０と下段端子台２２０は上下方向に並んで形成されている。そして、上段端子台２１０の板金２１１には、ワイヤ４００の外被４１０を除去して露出させた３本の信号線４２０を個別に接続するための３端子を１群とする３群構成の端子板３００が取り付けられている。この端子板３００は図示しない制御ユニットが収納された電装品箱６００の内部端子に図示しない配線によって接続されている。なお、下段端子台２２０にも同様の３群構成の端子板が取り付けられているが、図２ではその端子板は上段端子台２１０の裏に隠れている。
【００１５】
５００はワイヤ４００の外被４１０をクランプするためのワイヤクランパであり、上段端子台２１０と下段端子台２２０にそれぞれ固定されている。このワイヤクランパ５００は、ワイヤ４００の外被４１０を下から受ける下段クランパ５１０と、ワイヤ４００の外被４１０を下段クランパ５１０に対して押え付ける上段クランパ５２０とを組み合わせたものである。このワイヤクランパ５００は、後述するようにネジで端子台２１０，２２０に固定されている。
【００１６】
図３と図５に下段クランパ５１０を示す。下段クランパ５１０は長尺形状であり、長手方向の両端部に、上面５１０Ａから下面５１０Ｂに貫通する第１の開口５１１ａ，５１１ｂが形成され、また長手方向の第１の開口５１１ａ，５１１ｂの間の２か所には、上面５１０Ａから下面５１０Ｂに貫通する四角形状のガイド孔５１２ａ，５１２ｂが形成されている。
【００１７】
そして、開口５１１ａとガイド孔５１２ａとの間にはワイヤガイド部５１３ａが形成され、ガイド孔５１２ａとガイド孔５１２ｂとの間にはワイヤガイド部５１３ｂが形成され、ガイド孔５１２ｂと開口５１１ｂとの間にはワイヤガイド部５１３ｃが形成されている。
【００１８】
さらに、ワイヤガイド部５１３ａ，５１３ｂ，５１３ｃには、それぞれ下段クランパ５１０の長手方向に平行に並ぶように上向きに突出した第１のリブ５１４ａ，５１４ｂ，５１４ｃがそれぞれ３本ずつ形成されている。
【００１９】
また、下段クランパ５１０の長手方向の両端には、下面５１０Ｂから下方に突出するよう形成された第２の仮止係止片５１５ａ，５１５ｂがそれぞれ形成されている。この仮止係止片５１５ａ、５１５ｂの先端の外側には、爪５１５ａ１，５１５ｂ１がそれぞれ形成されている。
【００２０】
図４と図６に上段クランパ５２０を示す。上段クランパ５２０は下段クランパ５１０に対応した大きさの長尺形状であり、長手方向の両端部に上面５２０Ａから下面５２０Ｂに貫通する第２の開口５２１ａ、５２１ｄが形成され、この開口５２１ａ、５２１ｄの間の２か所にも上面５２０Ａから下面５２０Ｂに貫通する第３の開口５２１ｂ、５２１ｃが形成されている。第２の開口５２１ａ、５２１ｄは下クランパ４１０の第１の開口５１１ａ，５１１ｂにそれぞれ対応して設けられ、第３の開口５２１ｂ、５２１ｃは下クランパ４１０のガイド孔５１２ａ，５１２ｂにそれぞれ対応して設けられている。
【００２１】
そして、第３の開口５２１ｂ、５２１ｃの下面５２０Ｂの周囲には、四角形状のガイド筒体５２２ａ，５２２ｂが下方に突出するよう形成されている。このガイド筒体５２２ａ，５２２ｂは下クランパ５１０のガイド孔５１２ａ，５１２ｂに係合可能な大きさである。
【００２２】
また、上段クランパ５２０の下面５２０Ｂにおいて、開口５２１ａとガイド筒体５２２ａとの間にはワイヤガイド部５２３ａが形成され、ガイド筒体５２２ａとガイド筒体５２２ｂとの間にはワイヤガイド部５２３ｂが形成され、ガイド筒体５２２ｂと開口５２１ｄとの間にはワイヤガイド部５２３ｃが形成されている。
【００２３】
そして、ワイヤガイド部５２３ａ，５２３ｂ，５２３ｃには、それぞれ上段クランパ５２０の長手方向に平行に並ぶように下向きに突出した第２のリブ５２４ａ，５２４ｂ，５２４ｃがそれぞれ２本ずつ形成されている。これらのリブ５２４ａ，５２４ｂ，５２４ｃは、上段クランパ５２０を下段クランパ５１０に組み込んだ際に、上段クランパ５２０の上面５２０Ａからみて、その下段クランパ５１０のリブ５１４ａ，５１４ｂ，５１４ｃと平行な方向に、リブ５１４ａ，５１４ｂ，５１４ｃと互い違いに並ぶように形成されている。
【００２４】
また、上段クランパ５２０の長手方向に平行な両側面には、指で摘むための摘み板５２５ａ，５２５ｂがそれぞれ形成されている。中央の２個の開口５２１ｂ，５２１ｃの上面５２０Ａの縁には、周囲から凹んだガイド凹部５２６ａ，５２６ｂが形成されている。
【００２５】
さらに、この上段クランパ５２０の一方の摘み板５２５ｂの外面で且つ両側の開口５２１ａ，５２１ｄの近傍には、図６において、下面５２０Ｂから下方に突出するよう形成された、第１の仮止係止片５２７ａ，５２７ｂが形成されている。この仮止係止片５２７ａ，５２７ｂの先端の外側には、爪５２７ａ１，５２７ｂ１がそれぞれ形成されている。
【００２６】
さて、このワイヤクランパ５００を上段端子台２１０に固定しワイヤ４００を固定するには、図７に示すように、まず、下段クランパ５１０の仮止係止片５１１ａ，５１１ｂを、上段端子台２１０の板金２１１に形成された第２の係止孔２１１ａ，２１１ｂにそれぞれ挿入し、爪５１１ａ１，５１２ｂ１によってその係止穴２１１ａ，２１１ｂに係合する。これにより、下段クランパ２１０が上段端子台２１０の板金２１１の端子台２３０の下方に長手方向を横向にして仮止めされる。
【００２７】
次に、仮止めされた下段クランパ５１０のリブ５１４ａ，５１４ｂ，５１４ｃのそれぞれに、ワイヤ４００の外被４１０を押し付ける。これにより、ワイヤ４００がワイヤガイド部５１３ａ，５１３ｂ，５１３ｃ内に位置決めされる。
【００２８】
次に、このように位置決めされたワイヤ４００の上から、上段クランパ５２０の下面５２０Ｂを押し付ける。このとき、上段クランパ５２０のガイド筒体５２２ａが下段クランパ５１０のガイド孔５１２ａに挿入されて係合され、上段クランパ５２０のガイド筒体５２２ｂが下段クランパ５１０のガイド孔５１２ｂに挿入されて係合されるので、上段クランパ５２０は下段クランパ５１０に対して仮止めされる。
【００２９】
このとき、上段クランパ５２０の仮止係止片５２７ａ，５２７ｂが、上段クランプ５２０の上側になるように板金２１１に対して位置づけられるので、その仮止係止片５２７ａ，５２７ｂは板金２１１に形成された第１の係止穴２１２ａ，２１２ｂに挿入され、爪５２７ａ１，５２７ｂ１によってその係止穴２１２ａ，２１２ｂに引き抜け不能に係合する。
【００３０】
これにより、上段クランパ５２０は仮止係止片５２７ａ，５２７ｂによって板金２１１から吊られた状態なる。つまり、上段クランパ５２０には自重によって板金２１１に押し付けられる力が働く。よって、上段クランパ５２０は、板金２１１に対しても仮止めされ、上段クランプ５２０が仮止めされた下段クランプ５１０も仮止めされる。図８にワイヤ４００を省略した状態での上段端子台２１０への上段クランパ５２０と下段クランパ５１０の仮止状態を示した。
【００３１】
以上の結果、上段クランパ５２０のワイヤガイド部５２３ａが下段クランパ５１０のワイヤガイド部５１３ａに、上段クランパ５２０のワイヤガイド部５２３ｂが下段クランパ５１０のワイヤガイド部５１３ｂに、上段クランパ５２０のワイヤガイド部５２３ｃが下段クランパ５１０のワイヤガイド部５１３ｃに、それぞれワイヤ４００を挟んで対面するようになる。
【００３２】
このとき、上段クランパ５２０の３本のリブ５２４ａと下段クランパ５１０の２本のリブ５１４ａは平行な方向に互い違いに並ぶので、その部分でのワイヤ４００の外被４１０は上下から挟持される。同様に、上段クランパ５２０の３本のリブ５２４ｂと下段クランパ５１０の２本のリブ５１４ｂも平行な方向に互い違いに並ぶので、その部分でのワイヤ４００の外被４１０は上下から挟持される。また、上段クランパ５２０の３本のリブ５２４ｃと下段クランパ５１０の２本のリブ５１４ｃも平行な方向に互い違いに並ぶので、その部分でのワイヤ４００の外被４１０は上下から挟持される。
【００３３】
最後に、ネジ７０１，７０４を、上段クランパ５２０の開口５２１ａ，５２１ｄから下段クランパ５１０の開口５１１ａ，５１１ｂを介して、上段端子台２１０の端子板３００が取り付けられる板金２１１に形成されたネジ孔２１３ａ，２１３ｄに螺合する。また、ネジ７０２，７０３を、上段クランパ５２０のガイド凹部５２６ａ，５２６ｂにガイドさせて開口５２１ｂ，５２１ｃから下段クランパ５１０のガイド孔５１２ａ，５１２ｂを経由して、上段端子台２１０の板金２１１に形成されたネジ孔２１３ｂ，２１３ｃに螺合する。
【００３４】
以上によって、上段端子台２１０の端子台３００に接続される信号線４２０を含む３本のワイヤ４００の外被４１０の部分を、下段クランパ５１０と上段クランパ５２０と４本のネジ７０１〜７０４とによって、その上段端子台２１０に最終的に固定することができる。このとき、上段クランパ５２０のガイド筒体５２１ａ，５２１ｂの下面が、板金２１１の上面２１１Ａに当接する。
【００３５】
以上から本実施例では、１個のワイヤクランパ５００によってワイヤ４００を並べて３本固定することができるので、ワイヤ４００を１本ごとに個別のワイヤクランパで固定する手法に比べて、ワイヤ固定に必要なスペースを小さくすることができる。また、ワイヤ４００を１本ごとに個別のワイヤクランパで固定する場合は、１本のワイヤの固定に２個のネジが必要であるので３本のワイヤで６本のネジが必要となるが、本実施例では４本のネジで済むことになる。
【００３６】
また、下段クランパ５１０にはワイヤガイド部５１３ａ〜５１３ｃが形成されているので、そこにワイヤ４００の外被４１０をガイドさせることができ、ワイヤ４００が正規位置からずれてしまうことを防ぐことができ、ワイヤ仮止めの作業性が向上する。
【００３７】
また、上段クランパ５２０のガイド筒体５２２ａ，５２２ｂが下段クランパ５１０のガイド孔５１２ａ，５１２ｂに係合し、下段クランパ５１０が仮止係止片５１５ａ，５１５ｂによって板金２１１の係止孔２１１ａ，２１１ｂに係止し、上段クランパ５２０が仮止係止片５２７ａ，５２７ｂによって板金２１１の係止孔２１２ａ，２１２ｂに係止する。
【００３８】
このため、下段クランパ５１０のワイヤガイド部５１３ａ〜５１３ｃと上段クランパ５２０のワイヤガイド部５２３ａ〜５２３ｃの間にワイヤ４００を挟持した状態で、上段クランパ５２０と下段クランパ５１０を板金２１１に対して仮止めすることができる。よって、ネジ７０１〜７０４の締め付け時や取り外し時に上段クランパ５２０や下段クランパ５１０の落下を防止することができ、作業性が向上する。
【００３９】
また、上段クランパ５２０はガイド筒体５２２ａ，５２２ｂの下面５２０Ｂが下段クランパ５１０のガイド孔５１２ａ，５１２ｂを経由して、上段端子台２１０の板金２１１の上面２１１Ａに直接当接するので、ワイヤ４００に過度の圧力を加えることなく、そのワイヤ４００を確実に固定することができる。
【００４０】
このとき、下段クランパ５１０のリブ５１４ａ〜５１４ｃと上段クランパ５２４ａ〜５２４ｄのリブ５２１ａ〜５２４ｃによる圧力で、ワイヤ４００は強固に固定される。この固定状態は、４か所でネジ７０１〜７０４で保持される。下端子台２２０の端子台についても、同様に、ワイヤクランパ５００によって３本のワイヤ４００を固定することができる。
【符号の説明】
【００４１】
１００：マルチ型の室外機、１１０：吹出グリル、１２０：前面パネル、１３０：サービスパネル、１４０：配管カバー
２００：端子台、２１０：上段端子台、２１１：板金、２１１Ａ：上面、２１１ａ，２１１ｂ：第２の係止孔、２１２ａ，２１２ｂ：第１の係止孔、２１３ａ〜２１３ｄ：ネジ穴、２２０：下段端子台
３００：端子板
４００：ワイヤ、４１０：外被、４２０：信号線
５００：ワイヤクランパ
５１０：下段クランパ、５１０Ａ：上面、５１０Ｂ：下面、５１１ａ，５１１ｂ：第１の開口、５１２ａ，５１２ｂ：ガイド孔、５１３ａ〜４１３ｃ：第１のワイヤガイド部、５１４ａ〜５１４ｃ：第１のリブ、５１５ａ，５１５ｂ：第２の仮止係止片、５１５ａ１，５１５ｂ１：爪
５２０：上段クランパ、５２０Ａ：上面、５２０Ｂ：下面、５２１ａ，５２１ｄ：第２の開口、５２１ｂ，５２１ｃ：第３の開口、５２２ａ，５２２ｂ：ガイド筒体、５２３ａ〜５２３ｃ：第２のワイヤガイド部、５２４ａ〜５２４ｃ：第２のリブ、５２５ａ，５２５ｂ：摘み板、５２６ａ，５２６ｂ：ガイド凹部、５２７ａ，５２７ｂ：第１の仮止係止片、５２７ａ１，５２７ｂ１：爪
６００：電装品箱
７０１〜７０４：ネジ
【図１】
2018054251.tif 000003
【図２】
2018054251.tif 000004
【図３】
2018054251.tif 000005
【図４】
2018054251.tif 000006
【図５】
2018054251.tif 000007
【図６】
2018054251.tif 000008
【図７】
2018054251.tif 000009
【図８】
2018054251.tif 000010